(57)【特許請求の範囲】
【請求項１】
光源を有する装置本体と、該光源の点滅制御用の人体検知センサと、該光源の点滅操作を行うプルスイッチとを備えた照明装置において、前記人体検知センサを、前記プルスイッチ操作用の引きひも先端部に設けるとともに、前記人体検知センサは、人体熱の検知を行ってその存在あるいは移動状態の検出を行う焦電センサを有するセンサ部を備え、同センサ部を前記装置本体から接続電線を介して導出させて前記引きひもの先端部に配設し、さらに前記接続電線の前記装置本体との接続経路をコネクタを介して引きひもを引っ張った状態においてもたるみがあるように着脱自在に接続し、前記引きひもを引きひもが破損するような荷重にて引っ張ったときに該コネクタが離脱するようなしたことを特徴とする照明装置。
【請求項２】
前記センサ部が、その略下方の、略円錐状または略四角錐状の立体空間内の人体を検知することを特徴とする請求項１記載の照明装置。
【発明の詳細な説明】
【０００１】
【発明の属する技術分野】
本発明は、光源の点滅操作を行うプルスイッチと、その光源の点滅制御用を行う人体検知センサとを備えた照明装置に関するものである。
【０００２】
【従来の技術】
従来から、光源を有する装置本体と、該光源の点滅制御用の人体検知センサとして、例えば人体熱の検知を行ってその存在あるいは移動状態の検出を行う焦電センサを有するセンサ部と、該光源の点滅操作を行うプルスイッチとを備えた照明装置がある。
【０００３】
すなわち、上記焦電センサは、人体等種々の物体からその表面温度に応じて放射される赤外線を検知し、非接触でその物体を検知するものである。この焦電センサは、従来例えば防犯装置、あるいは自動ドア等に利用され、昨今、この焦電センサを利用した赤外線検知式の人体検知センサを組込み一体化した構造のシーリングライトと呼ばれている、図６に示すような、天井取付型の照明装置が実用化されている。
【０００４】
上記照明装置は、人体を広い検知領域にて確実に検出する検知機能確保のために、センサ部の焦電センサの前側に設けられるポリエチレン樹脂材料による集光用レンズＬが、装置本体Ｂの中央からグローブカバーＧ外部に露出する構造となっていた。したがって、上記の如く装置本体Ｂへセンサ部を一体化することにより、照明装置として従来のものとは著しい外形の変化もなく、使用者に違和感を与えることが無いものであった。
【０００５】
【発明が解決しようとする課題】
しかしながら、上記従来の技術においては、グローブカバーＧからセンサ部の集光用レンズＬが外側に突出しており、センサ部をもたない照明装置とのデザイン的な統一感が損なわれるという問題があった。このような問題を改善するためには、図７に示す如く、センサ部の集光用レンズＬをグローブカバーＧにて覆うような照明装置も考えられる。
【０００６】
ところで、グローブカバーＧに使用されるアクリル樹脂またはポリスチレン樹脂等の合成樹脂材は、可視光領域の光透過性、拡散性等の光学特性及び耐候性が良好であるものの、人体の表面から放射される赤外線、すなわち、波長領域が５〜１５μｍの遠赤外線領域の熱線がほとんど透過しない。したがって、センサ部の検知感度が著しく低下することからその実用化は困難と想定される。なお、グローブカバーＧを構成する樹脂材料として、遠赤外線の透過性に優れるポリエチレン樹脂材料を使用する方策も考えられるが、このポリエチレン樹脂材料は、赤外線領域とともにより広範囲の波長領域、特に可視光線に対しても高い光透過性を有する。その結果、例えば光源点灯時に、光源がグローブカバーの外側から透けて見えてしまい、かえって使用者に別の違和感を与えるという問題があった。
【０００７】
本発明は、上記事由に鑑みてなしたもので、その目的とするところは、センサ部の検知性能を確保して人体を確実に検知し、且つその所在が目立たない照明装置を提供することにある。
【０００８】
【課題を解決するための手段】
上記目的を達成するために、本発明の照明装置にあっては、光源を有する装置本体と、該光源の点滅制御用の人体検知センサと、該光源の点滅操作を行うプルスイッチとを備えた照明装置において、前記人体検知センサを、前記プルスイッチ操作用の引きひも先端部に設け設けるとともに、前記人体検知センサは、人体熱の検知を行ってその存在あるいは移動状態の検出を行う焦電センサを有するセンサ部を備え、同センサ部を前記装置本体から接続電線を介して導出させて前記引きひもの先端部に配設し、さらに前記接続電線の前記装置本体との接続経路をコネクタを介して引きひもを引っ張った状態においてもたるみがあるように着脱自在に接続し、前記引きひもを引きひもが破損するような荷重にて引っ張ったときに該コネクタが離脱するようなしたことを特徴としている。
【０００９】
これにより、装置本体の照明用光源が、該光源の点滅操作を行うプルスイッチ操作用の引きひも先端部に設けられた点滅制御用の人体検知センサによる人体検知にて点灯させることができる。
【００１０】
そして、前記人体検知センサは、人体熱の検知を行ってその存在あるいは移動状態の検出を行う焦電センサを有するセンサ部を備え、同センサ部を前記装置本体から接続電線を介して導出させて前記引きひもの先端部に配設することが好ましい。この場合、人体検知センサが、装置本体から接続電線を介して導出されて引きひもの先端部に配設された、人体熱の検知を行ってその存在あるいは移動状態の検出を行う焦電センサを有するセンサ部を備えて形成される。
【００１３】
また、前記接続電線の前記装置本体との接続経路をコネクタを介して引きひもを引っ張った状態においてもたるみがあるように着脱自在に接続し、前記引きひもを引きひもが破損するような荷重にて引っ張ったときに該コネクタが離脱するようなすのが好ましい。この場合、引きひもを引きひもが破損するような荷重にて引っ張ったときに、人体検知センサの接続電線と装置本体との接続がコネクタを介して離脱される。そのため、万一誤って引きひもが破損するような過大な力で操作されても接続電線の破損は免れて容易に補修可能となる。
【００１４】
また、前記センサ部が、その略下方の、略円錐状または略四角錐状の立体空間内の人体を検知するのが好ましい。この場合、装置本体から接続電線を介して導出されて、人体の存在あるいは移動状態の検出を行う焦電センサをもったセンサ部を引きひもの先端部に備えて形成された人体検知センサにて、該引きひもの先端部から略下方の、略円錐状または略四角錐状の立体空間内の人体が検知される。すなわち、照明装置から垂下される引きひもを中心として点対称の検知領域が構成され、使用者にて容易にその領域が把握されやすい。
【００１６】
【発明の実施の形態】
図１乃至図５は、本発明の請求項１乃至７全てに対応する一実施の形態を示し、図１は、本発明の一実施の形態の照明装置を示す外観図である。図２は、同照明装置の引きひもの説明図である。図３は、同照明装置の接続経路の概略構成図である。図４は、同照明装置の、センサ部の検知領域の説明図である。図５は、同照明装置の他の実施例の外観図である。
【００１７】
この実施の形態の照明装置１は、光源を有する装置本体２と、該光源の点滅制御用の人体検知センサ７と、該光源の点滅操作を行うプルスイッチ５とを備えた照明装置において、前記人体検知センサ７を、前記プルスイッチ５操作用の引きひも６先端部に設けている。また、この照明装置１においては、前記人体検知センサ７は、人体熱の検知を行ってその存在あるいは移動状態の検出を行う焦電センサを有するセンサ部８を備え、同センサ部８を前記装置本体２から接続電線９を介して導出させて前記引きひも６の先端部に配設してもいる。
【００１８】
詳しくは、この照明装置１は、住宅等の居住空間照明用のもので、天井Ｃに取り付けられて使用される。そして、その内部に光源としての丸形蛍光管（図示せず）の配設される外郭ケース３と該光源を点灯させる安定器等を有して形成される点灯装置４とプルスイッチ５とを有する装置本体２と、人体検知センサ７とを備えている。
【００１９】
外郭ケース３は、上記光源の透光部となる、アクリル樹脂（ＰＭＭＡ）、ポリカーボネート樹脂（ＰＣ）、ポリスチロール樹脂（ＰＳ）等の透光性の熱可塑性樹脂材料にておわん状に形成されたグローブカバー３１と、このグローブカバー３１を着脱自在に取り付けるための鋼板製で略円板形の基台３２とで構成され、この外郭ケース３内には、上記光源とともに点灯装置４を構成する回路基板４１ととともに図２に示すように収容されるプルスイッチ５の操作部分をスライド自在にガイドするガイド片３３が横向きに突設される。このガイド片３３は、その先端に、後述する引きひも６及び接続電線９の挿通された管状部材１１を下向きに垂下させるガイド孔が穿設されている。
【００２０】
点灯装置４は、図２に示す回路基板４１上に形成された、例えば光源の蛍光管を高効率に点灯させるインバータ点灯回路である電子安定器にて形成されている。この回路基板４１上には、この電子安定器に電源を供給する電源回路が設けられており、この電源回路が後述する人体検知センサ７のセンサ本体部を介してそのセンサ部８へ電源を供給するようになっている。また、上記電子安定器は、このセンサ本体部と後述するプルスイッチ５とにより光源の点滅操作を行うように構成されている。
【００２１】
プルスイッチ５は、良く知られた接点式の点滅機構を備えた構造のものにて形成されている。このプルスイッチ５は、図３に示すように、その点滅機構を駆動する引き具５１が突設され、この引き具５１先端部に、装置本体２外部から上記点滅機構の操作をおこなう引きひも６の先端が結びつけて装着されて、同図に示すように、点灯装置４の電子安定器とは内部電線４２を介して電気的に接続される。
【００２２】
人体検知センサ７は、上記電子安定器を操作して光源の点滅操作を行う出力回路と人体検知センサ７全体の電源供給を行うセンサ電源回路とをもったセンサ本体部と、人体熱の検知を行ってその存在あるいは移動状態の検出を行う焦電センサを有するセンサ部８とを備えている。なお、上記センサ電源回路は、上記点灯装置４の電源回路の直流電圧を所定の電圧値へ変換し、後述する接続電線９を介してセンサ部８へ供給する。
【００２３】
センサ部８は、人体から放射される熱線を感知する焦電センサと、焦電センサから出力される微弱な人体検知信号を電気的に増幅し信号処理を行う信号処理回路とが、引きひも６の先端部に配設されたポリエチレン樹脂材料製のハウジング内に収容されている、射出成型品の表面に立体的に直接、電気回路を形成したＭＩＤ（Ｍｏｌｄｅｄ  Ｉｎｔｅｒｃｏｎｎｅｃｔ  Ｄｅｖｉｃｅ）基板上に設けられ、該ハウジングの焦電センサと対向する位置に、その焦電センサへ向けて集光する熱線集光用のマルチレンズを一体形成し構成されている。このセンサ部８は、当該マルチレンズの部分を下向けとし、その上部に多芯のビニル電線にて形成された接続電線９が上記信号処理回路と電気的に接続するようにして設けられる。
【００２４】
センサ部８は、この場合、図４（ａ）に示すように、その略下方の、略四角錐状の立体空間内の人体を検知することとして検知領域Ａが構成されている。すなわち、検知領域Ａは、上記の焦電センサ及びマルチレンズの位置関係によって決まる複数の微小な領域ａ，ａ…にて決定される。したがって、天井Ｃに取り付けられた装置本体２から、後述する接続電線９を介して導出されるセンサ部８を引きひも６の先端部に備えて形成された人体検知センサ７にて、該引きひも６の先端部から略下方の、略四角錐状の立体空間内の人体が検知されるが、図４（ｂ）に示すように、照明装置１から垂下される引きひも６を中止として点対称となる、一辺略５ｍの略四角状の検知領域Ａが床面Ｆ上に構成され、使用者にて容易にその領域が把握されやすい。なお、検知領域Ａは略円錐状とすることも好ましい。
【００２５】
接続電線９は、多芯のビニル電線にて形成され、装置本体２から上記センサ部８へ電源供給を行うと共に、同センサ部８の信号処理回路から出力される人体検知信号を上記装置本体２のセンサ本体部へ伝達する。この接続電線９は、図３に示すように、装置本体２との接続経路となるその基端部にコネクタ１０が接続されており、このコネクタ１０を介して装置本体２内部の回路基板４１と着脱自在に接続されて、前記引きひも６と共に合成樹脂パイプ材等の可とう性をもった管状部材１１挿通させて被覆される。なお、接続電線９の管状部材１１端部からこのコネクタ１０に至る部分には、同図に示すように、引きひもの通常の動きにおいてコネクタ１０に荷重が加わることの無いよう、引きひもを引っ張った状態においてもたるみを設けてある。
【００２６】
すなわち、装置本体２から接続電線９を介して導出され、引きひも６の先端部に配設されるセンサ部８の接続電線９が、上記管状部材１１にて引きひも６と一体化され且つ被覆されて、接続電線９が保護されるとともに外観上も優れるものとなる。
【００２７】
また、上記コネクタ１０は、前記引きひも６を所定の大きさ以上の荷重にて引っ張ったときに該コネクタ１０が離脱するようにしている。したがって、引きひも６を所定の大きさ以上の荷重として、例えばその限界荷重１５ｋｇの力にて引っ張ったときに、人体検知センサ７の接続電線９と装置本体２との接続がコネクタ１０を介して離脱される。そのため、万一誤って引きひも６が破損するような過大な力で操作されても接続電線９の破損は免れて容易に補修可能となる。なお、コネクタ１０を設ける位置は上記の接続電線９基端部以外に、装置本体２との接続経路として管状部材１１を下向きに垂下させる上部等の適宜位置に設けても良い。
【００２８】
上記の照明装置１は、図４に示すように、住宅等の居室の天井Ｃに外郭ケース３の基台３２が取り付けられて屋内配線から天井裏を介して外部電線が接続されて設置される。そして、装置本体２の照明用光源が、該光源の点滅操作を行うプルスイッチ５操作用の引きひも６が操作されて点滅され、また、その消灯時には該引きひも６先端部に設けられた、点滅制御用の人体検知センサ７にてその居室へ入ってきた人体を検知して自動的に点灯させることができる。また、人体検知センサ７が、装置本体２から接続電線９を介して導出されて引きひも６の先端部に配設された、人体熱の検知を行ってその存在あるいは移動状態の検出を行う焦電センサを有するセンサ部８を備えて形成されており、例えば赤外線反射型センサのような線状の検知領域をもつものに比べて、容易に立体空間内の人体検知を行うことが可能となり、さらに、このセンサ部８には装置本体２から接続電線を介してセンサ部８の駆動用電源が供給されるために、センサ部８をより小型に形成されており、通常の引きひもとは違和感無く引き操作がなされて且つ目立つことも無いものとなっている。
【００２９】
したがって、以上説明した照明装置１によると、装置本体２の照明用光源が、該光源の点滅操作を行うプルスイッチ５操作用の引きひも６先端部に設けられた点滅制御用の人体検知センサ７による人体検知にて点灯させることができるので、そのセンサ部の検知性能を確保して人体を確実に検知し、且つその所在を目立たないものとさせることが出来る。
【００３０】
そして、人体検知センサ７が、装置本体２から接続電線９を介して導出されて引きひも６の先端部に配設された、人体熱の検知を行ってその存在あるいは移動状態の検出を行う焦電センサを有するセンサ部８を備えて形成されるので、容易に立体空間内の人体検知を行うことができる。また、装置本体２から接続電線９を介してセンサ部８の駆動用電源が供給されるため、センサ部８をより小型に形成することができて外観上の違和感も少ない。また、装置本体２から接続電線９を介して導出され、引きひもの先端部に配設される人体検知センサ７のセンサ部８への該接続電線９が、可とう性をもった管状部材１１にて引きひも６と一体化され且つ被覆されるため、接続電線９が保護されるとともに外観上も優れる。
【００３１】
また、引きひも６を所定の大きさ以上の荷重にて引っ張ったときに、人体検知センサ７の接続電線９と装置本体２との接続がコネクタ１０を介して離脱されるので、万一誤って引きひも６が破損するような過大な力で操作されても接続電線９の破損は免れて容易に補修可能となり、メンテナンス性に優れる。また、装置本体２から接続電線９を介して導出されたセンサ部８を引きひも６の先端部に備えて形成された人体検知センサ７にて、該引きひも６の先端部から略下方の、略円錐状または略四角錐状の立体空間内の人体が検知されので、照明装置１から垂下される引きひも６を中心として点対称の検知領域Ａが構成され、使用者にて容易にその領域が把握されて使い勝手が良い。
【００３２】
本発明の照明装置１は、上記に示されたもの以外に、例えば、図５に示すように、前記引きひも６を前記装置本体２の略中心から垂下させたしたもの等、各種実施形態のものを含む。なお、このものにおいては、装置本体２の略中心に垂下された引きひも６の先端部から略下方の、略円錐状または略四角錐状の立体空間内の人体が検知される。したがって、このような照明装置１は、居住空間の略中心位置に設置されることが多いので、該空間のほぼ全域を検知領域とすることが可能となりさらに使い勝手を向上できる。
【００３３】
【発明の効果】
本発明は、上述の実施態様の如く実施されて、請求項１記載の照明装置にあっては、装置本体の照明用光源が、該光源の点滅操作を行うプルスイッチ操作用の引きひも先端部に設けられた点滅制御用の人体検知センサによる人体検知にて点灯させることができるので、そのセンサ部の検知性能を確保して人体を確実に検知し、且つその所在を目立たないものとさせることが出来る。
【００３４】
さらに、容易に立体空間内の人体検知を行うことができる。
【００３７】
さらに、請求項１記載の照明装置にあっては、万一誤って引きひもが破損するような過大な力で操作されても接続電線９の破損は免れて容易に補修可能となり、メンテナンス性に優れる。
【００３８】
また、請求項２記載の照明装置にあっては、照明装置から垂下される引きひもを中心として点対称の検知領域が構成され、使用者にて容易にその領域が把握されて使い勝手が良い。
【図面の簡単な説明】
【図１】本発明の一実施の形態の照明装置を示す外観図である。
【図２】同照明装置の引きひもの説明図である。
【図３】同照明装置の接続経路の概略構成図である。
【図４】同照明装置の、センサ部の検知領域の説明図である。
【図５】同照明装置の他の実施例の外観図である。
【図６】本発明の従来例である照明装置を示す概略構成図である。
【図７】同照明装置の他の構成を示す概略構成図である。
【符号の説明】
１    照明装置
２    装置本体
３    ここから
５    プルスイッチ
６    引きひも
７    人体検知センサ
８    センサ部
９    接続電線
１０  コネクタ
１１  管状部材
【図１】
0003882429.tif 000002
【図２】
0003882429.tif 000003
【図３】
0003882429.tif 000004
【図４】
0003882429.tif 000005
【図５】
0003882429.tif 000006
【図６】
0003882429.tif 000007
【図７】
0003882429.tif 000008